(57)【要約】      （修正有）【課題】ＧＰＳ受信機能を備えた電子時計において、消費電力の増大を抑制しつつ、時刻の補正をより適切に行うこと。【解決手段】電子時計において、機内モード設定部５３は、操作に応じて、ＧＰＳ受信モジュール２０におけるＧＰＳ衛星からの電波の受信を停止させる。時間計測部５４は、ＧＰＳ衛星からの電波の受信を停止している時間を計測する。停止時間判定部５５は、計測された時間が、第１の閾値よりも長いか否かを判定する。移動判定部５６は、機内モード設定部５３に対する操作が行われる前に受信した長波電波と、受信の停止が解除された後に受信した長波電波とに基づいて、移動を判定する。受信制御部５１は、機内モード設定部５３における受信の停止が解除された後に、停止時間判定部５５及び移動判定部５６の判定結果に基づいて、ＧＰＳ受信モジュール２０における受信の制御を行う。【選択図】図２
2018087817.tif 000002
【特許請求の範囲】
【請求項１】
長波電波を受信する長波受信手段と、
衛星からの電波を受信する衛星電波受信手段と、
衛星電波受信手段における衛星からの電波の受信の停止及び受信の停止の解除を制御する受信停止解除手段と、
前記受信停止解除手段が衛星からの電波の受信の停止又は受信の停止の解除の後からの経過時間を計測する計測手段と、
前記受信停止解除手段に対する操作が行われる前に受信した長波電波の受信状況と、前記受信停止解除手段における受信の停止が解除された後に受信した長波電波の受信状況とに基づいて、移動を判定する移動判定手段と、
前記受信停止解除手段における受信の停止が解除された後に、前記計測手段によって計測された経過時間が、第１の閾値よりも長い場合には、前記衛星電波受信手段によって前記衛星からの電波を受信させる受信制御手段と、
前記長波受信手段または前記衛星電波受信手段による受信の結果に基づいて、時刻の補正を行う時刻補正手段と、
を備えることを特徴とする電子時計。
【請求項２】
前記受信制御手段は、前記受信停止解除手段における受信の停止が解除された後に、前記移動判定手段によって同一のタイムゾーン内の長波電波を受信したと判定され、且つ前記計測手段によって計測された経過時間が、前記第１の閾値以下と判定された場合には、前記衛星電波受信手段によって衛星からの電波を受信させないことを特徴とする請求項１に記載の電子時計。
【請求項３】
前記受信制御手段は、前記受信停止解除手段における受信の停止が解除された後に、前記計測手段によって計測された経過時間が、前記第１の閾値以下と判定され、前記移動判定手段によって同一のタイムゾーン内の長波電波を受信できなかったと判定された場合には、前記衛星電波受信手段によって衛星からの電波を受信させ、前記時刻補正手段によって時刻の補正を行うことを特徴とする請求項２に記載の電子時計。
【請求項４】
前記受信制御手段は、前記受信停止解除手段における受信の停止が操作された後に、当該受信の停止が解除された場合、前記計測手段によって計測された時間が、予め設定された第２の閾値以下であるときには、当該受信の停止が解除されていないものとして時間の計測を継続することを特徴とする請求項１から３のいずれか１項に記載の電子時計。
【請求項５】
サマータイムを導入している国と、当該国のサマータイム期間とが対応付けられたサマータイムに関する情報を記憶するサマータイム情報記憶手段を備え、
前記時刻補正手段は、前記サマータイムに関する情報に基づいて、前記衛星電波受信手段によって受信された衛星からの電波が示す位置に応じて、サマータイムに対応する時刻の補正を行うことを特徴とする請求項１から４のいずれか１項に記載の電子時計。
【請求項６】
前記衛星はＧＰＳ衛星であることを特徴とする請求項１から５のいずれか１項に記載の電子時計。
【請求項７】
長波電波を受信する長波受信手段と、衛星からの電波を受信する衛星電波受信手段とを備える電子時計の時刻補正方法であって、
前記衛星電波受信手段における衛星からの電波の受信の停止及び受信の停止の解除を制御する受信停止解除ステップと、
前記受信停止解除ステップにおいて衛星からの電波の受信の停止又は受信の停止の解除の後からの経過時間を計測する計測ステップと、
前記計測ステップにおいて計測された経過時間が、予め設定された第１の閾値よりも長いか否かを判定する停止時間判定ステップと、
前記受信停止解除ステップにおいて操作が行われる前に受信した長波電波と、前記受信停止解除ステップにおいて受信の停止が解除された後に受信した長波電波とに基づいて、移動を判定する移動判定ステップと、
前記受信停止解除ステップにおいて受信の停止が解除された後に、前記計測ステップにおいて計測された経過時間が、第１の閾値よりも長い場合には、前記衛星電波受信手段によって前記衛星からの電波を受信させる受信制御ステップと、
前記長波受信手段または前記衛星電波受信手段による当該受信の結果に基づいて、時刻の補正を行う時刻補正ステップと、
を含むことを特徴とする時刻補正方法。
【請求項８】
長波電波を受信する長波受信手段と、衛星からの電波を受信する衛星電波受信手段とを備える電子時計に用いられるコンピュータに、
衛星電波受信手段における衛星からの電波の受信の停止及び受信の停止の解除をさせる受信停止解除ステップと、
前記受信停止解除ステップにおいて衛星からの電波の受信の停止又は受信の停止の解除の後からの経過時間を計測する計測ステップと、
前記計測ステップにおいて計測された経過時間が、予め設定された第１の閾値よりも長いか否かを判定する停止時間判定ステップと、
前記受信停止解除ステップにおいて操作が行われる前に受信した長波電波と、前記受信停止解除ステップにおいて受信の停止が解除された後に受信した長波電波とに基づいて、移動を判定する移動判定ステップと、
前記受信停止解除ステップにおいて受信の停止が解除された後に、前記計測ステップにおいて計測された経過時間が、第１の閾値よりも長い場合には、前記衛星電波受信手段によって前記衛星からの電波を受信させる受信制御ステップと、
前記長波受信手段または前記衛星電波受信手段による当該受信の結果に基づいて、時刻の補正を行う時刻補正ステップと、
を実行させることを特徴とするプログラム。
【発明の詳細な説明】
【技術分野】
【０００１】
本発明は、ＧＰＳ受信機能を有する電子時計、時刻補正方法及びプログラムに関する。
【背景技術】
【０００２】
従来、時刻の補正を自動で行うために標準電波を受信可能な電子時計が知られている。
標準電波は、世界各地に設置された送信局から送信される長波帯の電波であり、受信した標準電波に合わせて時刻を補正することで、より正確な時刻を表示することが可能となる。
また、近年、ＧＰＳ（Ｇｌｏｂａｌ  Ｐｏｓｉｔｉｏｎｉｎｇ  Ｓｙｓｔｅｍ）衛星から送信されるＧＰＳ信号を受信し、この信号に示されている時刻情報を用いて、時刻の補正を行う電子時計が利用されつつある。
ＧＰＳ信号によって時刻の補正を行う場合、標準電波が利用できない地域でも時刻の補正が可能となり、また、標準電波よりも短時間で時刻の補正が可能になる等の利点がある。
なお、特許文献１には、標準電波による時刻の補正と、ＧＰＳによる時刻の補正とが可能な計時装置に関する技術が開示されている。
【先行技術文献】
【特許文献】
【０００３】
【特許文献１】特開２００８−０５１６９７号公報
【発明の概要】
【発明が解決しようとする課題】
【０００４】
しかしながら、ＧＰＳによる時刻の補正を行う場合、ＧＰＳ信号の受信のために消費電力が増大するため、頻繁にＧＰＳ信号の受信を行うことは好ましくない。一方、標準電波による時刻の補正は、１日に１回等、定期的に行われることが多い。また、標準電波を受信できたとしても、近隣の時差の異なる地域の標準電波を受信する場合もあり、標準電波のみでは時差に対応した時刻補正を行うことができないため、正確な時刻表示を行うことは困難である。
このように、ＧＰＳ受信機能を備えた従来の電子時計においては、消費電力の増大を抑制しつつ、時刻の補正を適切に行うことが困難であった。
【０００５】
本発明は、このような状況に鑑みてなされたものであり、ＧＰＳ受信機能を備えた電子時計において、消費電力の増大を抑制しつつ、時刻の補正をより適切に行うことを目的とする。
【課題を解決するための手段】
【０００６】
上記目的を達成するため、本発明の一態様の電子時計は、
長波電波を受信する長波受信手段と、
衛星からの電波を受信する衛星電波受信手段と、
衛星電波受信手段における衛星からの電波の受信の停止及び受信の停止の解除を制御する受信停止解除手段と、
前記受信停止解除手段が衛星からの電波の受信の停止又は受信の停止の解除の後からの経過時間を計測する計測手段と、
前記受信停止解除手段に対する操作が行われる前に受信した長波電波の受信状況と、前記受信停止解除手段における受信の停止が解除された後に受信した長波電波の受信状況とに基づいて、移動を判定する移動判定手段と、
前記受信停止解除手段における受信の停止が解除された後に、前記計測手段によって計測された経過時間が、第１の閾値よりも長い場合には、前記衛星電波受信手段によって前記衛星からの電波を受信させる受信制御手段と、
前記長波受信手段または前記衛星電波受信手段による受信の結果に基づいて、時刻の補正を行う時刻補正手段と、
を備えることを特徴とする。
【発明の効果】
【０００７】
本発明によれば、ＧＰＳ受信機能を備えた電子時計において、消費電力の増大を抑制しつつ、時刻の補正をより適切に行うことができる。
【図面の簡単な説明】
【０００８】
【図１】本発明の第１実施形態に係る電子時計のハードウェアの構成を示すブロック図である。
【図２】電子時計１の機能的構成のうち、時刻補正処理を実行するための機能的構成を示す機能ブロック図である。
【図３】電子時計が実行する時刻補正処理の流れを説明するフローチャートである。
【図４】本発明の第２実施形態に係る電子時計の機能的構成を示す機能ブロック図である。
【図５】サマータイム期間テーブルの一例を示す模式図である。
【発明を実施するための形態】
【０００９】
以下、本発明の実施形態について、図面を用いて説明する。
【００１０】
［第１実施形態］
図１は、本発明の第１実施形態に係る電子時計１のハードウェアの構成を示すブロック図である。
電子時計１は、例えば腕時計として構成される。
【００１１】
電子時計１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、計時部１６と、入力部１７と、表示部１８と、記憶部１９と、ＧＰＳ受信モジュール２０と、長波受信モジュール２１と、電源回路２２とを備えている。
【００１２】
ＣＰＵ１１は、ＲＯＭ１２に記録されているプログラム、または、記憶部１９からＲＡＭ１３にロードされたプログラムに従って各種の処理を実行する。例えば、ＣＰＵ１１は、後述する時刻補正プログラムに従って時刻補正処理を実行する。
【００１３】
ＲＡＭ１３には、ＣＰＵ１１が各種の処理を実行する上において必要なデータ等も適宜記憶される。例えば、ＲＡＭ１３には、時刻補正処理において取得されるＧＰＳ信号の受信停止時刻、受信停止の解除時刻、及び電子時計１が位置する地域（タイムゾーン）等が記憶される。
【００１４】
ＣＰＵ１１、ＲＯＭ１２及びＲＡＭ１３は、バス１４を介して相互に接続されている。このバス１４にはまた、入出力インターフェース１５も接続されている。入出力インターフェース１５には、計時部１６、入力部１７、表示部１８、記憶部１９、ＧＰＳ受信モジュール２０、長波受信モジュール２１及び電源回路２２が接続されている。
【００１５】
計時部１６は、水晶振動子等からなる発振回路を備え、電子時計１における時刻信号を生成する。
入力部１７は、各種釦やりゅうず等で構成され、ユーザの操作に応じて各種情報を入力する。
表示部１８は、ディスプレイや文字板等で構成され、時刻や日付、あるいは、電子時計１における各種設定に関する情報を出力する。
記憶部１９は、ＤＲＡＭ（Ｄｙｎａｍｉｃ  Ｒａｎｄｏｍ  Ａｃｃｅｓｓ  Ｍｅｍｏｒｙ）やフラッシュメモリ等で構成され、各種データを記憶する。
【００１６】
ＧＰＳ受信モジュール２０は、ＧＰＳ衛星から送信された電波（具体的にはＧＰＳ信号）を受信し、ＧＰＳ信号に示される位置及び時刻の情報を取得してＣＰＵ１１に出力する。本実施形態において、ＧＰＳ受信モジュール２０は、後述する機内モードに設定されると、動作を停止してスリープ状態となる。
長波受信モジュール２１は、標準時刻を示す標準電波を受信し、標準電波に示されている標準時刻を示す情報をＣＰＵ１１に出力する。本実施形態において、長波受信モジュール２１は、世界各地に設置された送信局から送信される標準電波を受信可能に構成されている。
電源回路２２は、不図示のバッテリから供給される電力に対し、電圧の調整等を行い、電子時計１内部に供給する。また、電源回路２２は、バッテリにおける電池残量を検出し、電池残量を示す情報をＣＰＵ１１に出力する。
【００１７】
図２は、このような電子時計１の機能的構成のうち、時刻補正処理を実行するための機能的構成を示す機能ブロック図である。
時刻補正処理とは、電子時計１が飛行機のフライト時間に相当する離陸前の機内モード設定時から着陸後の機内モード解除時までの継続時間を計測し、その継続時間が一定時間以上となっている場合に、電子時計１が大きく移動したと判定し、着陸後の機内モードが解除されたタイミングで、ＧＰＳ信号を受信して時刻を補正する一連の処理をいう。
ここで、機内モードとは、電子時計１におけるＧＰＳ信号の受信を停止するモードである。一般に、航空機を利用する場合、航空会社の要請等によって、離着陸時あるいは離陸から着陸までの全時間において、ＧＰＳ信号の受信を控えることが求められるため、ユーザが操作することにより、電子時計１が機内モードに設定される。
【００１８】
時刻補正処理が実行される場合、図２に示すように、ＣＰＵ１１において、受信制御部５１と、時刻補正部５２と、機内モード設定部５３と、時間計測部５４と、停止時間判定部５５と、移動判定部５６とが機能する。
【００１９】
受信制御部５１は、ＧＰＳ受信モジュール２０によるＧＰＳ信号の受信と、長波受信モジュール２１による標準電波の受信とを制御する。具体的には、受信制御部５１は、毎日の設定された時間あるいは時刻補正処理によって受信が指示されたタイミングで長波受信モジュール２１による標準電波の受信を行い、標準時刻を取得する。また、受信制御部５１は、時刻補正処理によって受信が指示されたタイミングで、ＧＰＳ信号の受信を行い、ＧＰＳ信号が示す時刻情報を取得する。
時刻補正部５２は、長波受信モジュール２１によって受信された標準電波が示す標準時刻またはＧＰＳ受信モジュール２０によって受信されたＧＰＳ信号が示す時刻情報に基づいて、電子時計１における現在時刻を補正する。即ち、時刻補正部５２は、計時部１６が発生する時刻信号によって決定される現在時刻に対し、標準電波あるいはＧＰＳ信号が示す時刻を優先して、現在時刻に設定する。
【００２０】
機内モード設定部５３は、入力部１７を介して機内モードの設定が指示された場合に、ＧＰＳ受信モジュール２０におけるＧＰＳ信号の受信を停止し、ＧＰＳ受信モジュール２０をスリープ状態とする。これにより、電子時計１は、ＧＰＳ信号の受信を行わない機内モードとなる。また、機内モード設定部５３は、入力部１７を介して機内モードの設定解除が指示された場合に、ＧＰＳ受信モジュール２０におけるＧＰＳ信号の受信を行う状態に復帰させる。
【００２１】
時間計測部５４は、機内モード設定部５３によって機内モードに設定された場合に、その継続時間を計測する。即ち、時間計測部５４は、機内モード設定部５３が機内モードを開始した時刻を記憶し、航空機による移動が完了して、機内モードが解除された場合の時刻を記憶する。そして、時間計測部５４は、機内モードの開始から終了までの時間を算出し、機内モードの継続時間とする。
また、時間計測部５４は、機内モードが一時的に解除された場合、機内モードの継続時間のカウントを保持するための機内モード保持フラグを設定する。具体的には、時間計測部５４は、機内モードに設定された後、所定時間（後述する閾値Ｔｔｈ２）以内に機内モードが解除された場合は、離陸時のみ機内モードにしたものとして、機内モードが開始された時刻が更新されないように、機内モード保持フラグをＯＮにする。機内モード保持フラグがＯＮとなっている場合、機内モードが開始された場合（例えば着陸時に機内モードが開始された場合等）に、機内モードが開始された時刻が更新されることなく、前回の機内モード開始時の時刻が保持される。なお、機内モード保持フラグに有効期限（例えば１日）を設定し、機内モードが短時間に一度だけ設定される場合（例えば病院内等の特定の状況で一時的に機内モードとした場合）の操作を一定時間で無効にすることとしてもよい。
【００２２】
停止時間判定部５５は、時間計測部５４によって計測された機内モードの継続時間が、移動時間の判定のために設定されている閾値Ｔｔｈ１よりも長いか否かを判定する。ここで、閾値Ｔｔｈ１は、タイムゾーンを跨ぐと考えられる移動時間として、例えば２時間に設定することができる。ただし、この閾値Ｔｔｈ１をより長くしたり、より短くしたりすることも可能である。また、停止時間判定部５５は、時間計測部５４によって計測された機内モードの計測時間が、機内モードの一時的な解除を識別するために設定されている閾値Ｔｔｈ２よりも長いか否かを判定する。ここで、閾値Ｔｔｈ２は、離陸時に機内モードとされ、上空で機内モードの解除が許可されている場合に、離陸時から上空で一時的に機内モードが解除されるまでの時間を判定するための閾値である。閾値Ｔｔｈ２として、例えば３０分に設定することができる。即ち、機内モードにされた後、３０分以内に機内モードが解除された場合には、上空で一時的に機内モードが解除されたものとして、機内モードが継続していると判断される。なお、この閾値Ｔｔｈ２をより長くしたり、より短くしたりすることも可能である。
【００２３】
移動判定部５６は、前回受信した標準電波と、今回受信した標準電波とが同一であるか否かを判定する。即ち、移動判定部５６は、受信される標準電波が同一であるか否かに基づいて、電子時計１がタイムゾーンを跨いで移動したか否かを判定する。移動判定部５６によって、前回受信した標準電波と、今回受信した標準電波とが同一でない、即ち、電子時計１がタイムゾーンを跨いで移動したと判定された場合、受信制御部５１によって、ＧＰＳ信号の受信が行われる。
【００２４】
図３は、図２の機能的構成を有する図１の電子時計１が実行する時刻補正処理の流れを説明するフローチャートである。
時刻補正処理は、予め設定されたタイミング（所定時間間隔あるいは所定の時刻となったタイミング）で自動的に起動されることにより開始される。
【００２５】
ステップＳ１において、受信制御部５１は、長波受信モジュール２１による標準電波の受信を実行する。
ステップＳ２において、受信制御部５１は、標準電波が受信されたか否かの判定を行う。
標準電波が受信されない場合、ステップＳ２においてＮＯと判定されて、処理はステップＳ３に移行する。
これに対し、標準電波が受信された場合、ステップＳ２においてＹＥＳと判定されて、処理はステップＳ４に移行する。
【００２６】
ステップＳ３において、受信制御部５１は、標準電波の受信について設定されたリトライ条件（制限時間あるいは制限回数内であること等）を充足しているか否かの判定を行う。
標準電波の受信について設定されたリトライ条件を充足している場合、ステップＳ３においてＹＥＳと判定されて、処理はステップＳ２に戻る。
これに対し、標準電波の受信について設定されたリトライ条件を充足していない場合、ステップＳ３においてＮＯと判定されて、時刻補正処理は終了となる。
ステップＳ４において、受信制御部５１は、ステップＳ２において受信された標準電波の種類（いずれの送信局の標準電波であるか）を記憶する。例えば、ステップＳ２において受信された標準電波が福島送信局から送信されたものである場合、標準電波の種類として福島送信局の送信電波であることが記憶される。
【００２７】
ステップＳ５において、機内モード設定部５３は、機内モードの設定に関する操作が行われたか否かの判定を行う。機内モードの設定に関する操作とは、機内モードに設定する操作または機内モードを解除する操作である。
機内モードの設定に関する操作が行われていない場合、ステップＳ５においてＮＯと判定されて、処理はステップＳ５に戻る。
これに対し、機内モードの設定に関する操作が行われた場合、ステップＳ５においてＹＥＳと判定されて、処理はステップＳ６に移行する。
【００２８】
ステップＳ６において、受信制御部５１は、ステップＳ５における操作が、機内モードの設定（ＯＮ）の操作であるか否かの判定を行う。
機内モードの設定の操作である場合、ステップＳ６においてＹＥＳと判定されて、処理はステップＳ７に移行する。
これに対し、機内モードの設定の操作でない場合、ステップＳ６においてＮＯと判定されて、処理はステップＳ１０に移行する。
【００２９】
ステップＳ７において、機内モード設定部５３は、ＧＰＳ受信モジュール２０におけるＧＰＳ信号の受信を停止し、ＧＰＳ受信モジュール２０をスリープ状態とする。
ステップＳ８において、機内モード設定部５３は、ステップＳ９において記憶される機内モード保持フラグがＯＮとなっているか否かの判定を行う。
機内モード保持フラグがＯＮとなっていない場合、処理はステップＳ９に移行する。
これに対し、機内モード保持フラグがＯＮとなっている場合、処理はステップＳ５に戻る。
【００３０】
ステップＳ９において、時間計測部５４は、現在時刻（即ち、機内モードとされた時刻）を記憶する。
ステップＳ９の後、処理はステップＳ５に戻る。
ステップＳ１０において、停止時間判定部５５は、時間計測部５４によって計測される機内モードの計測時間が、閾値Ｔｔｈ２よりも長いか否か（即ち、機内モードの一時的な解除であるか否か）の判定を行う。
時間計測部５４によって計測される機内モードの計測時間が、閾値Ｔｔｈ２よりも長い場合、ステップＳ１０においてＹＥＳと判定されて、処理はステップＳ１２に移行する。
これに対し、時間計測部５４によって計測される機内モードの計測時間が、閾値Ｔｔｈ２よりも短い場合、ステップＳ１０においてＮＯと判定されて、処理はステップＳ１１に移行する。
【００３１】
ステップＳ１１において、時間計測部５４は、機内モード保持フラグをＯＮに設定する。
ステップＳ１１の後、処理はステップＳ５に戻る。
ステップＳ１２において、受信制御部５１は、長波受信モジュール２１による標準電波の受信を実行する。
ステップＳ１３において、受信制御部５１は、標準電波が受信されたか否かの判定を行う。
標準電波が受信されない場合、ステップＳ１３においてＮＯと判定されて、処理はステップＳ１４に移行する。
これに対し、標準電波が受信された場合、ステップＳ１３においてＹＥＳと判定されて、処理はステップＳ１５に移行する。
【００３２】
ステップＳ１４において、受信制御部５１は、標準電波の受信について設定されたリトライ条件（制限時間あるいは制限回数内であること等）を充足しているか否かの判定を行う。
標準電波の受信について設定されたリトライ条件を充足している場合、処理はステップＳ１３に戻る。
これに対し、標準電波の受信について設定されたリトライ条件を充足していない場合、処理はステップＳ１８に移行する。
【００３３】
ステップＳ１５において、受信制御部５１は、ステップＳ１３において受信された標準電波の種類が、記憶されている標準電波の種類と同一であるか否か（即ち、同一の送信局からの標準電波を受信したか否か）の判定を行う。
ステップＳ１３において受信された標準電波の種類が、記憶されている標準電波の種類と同一である場合、ステップＳ１５においてＹＥＳと判定されて、処理はステップＳ１６に移行する。
これに対し、ステップＳ１３において受信された標準電波の種類が、記憶されている標準電波の種類と同一でない場合、ステップＳ１５においてＮＯと判定されて、処理はステップＳ１８に移行する。例えば、ステップＳ４において福島送信局が記憶され、ステップＳ１３においてコロラド州のフォートコリンズ送信局から送信された標準電波が受信された場合、ステップＳ１５においてＮＯと判定される。
【００３４】
ステップＳ１６において、停止時間判定部５５は、時間計測部５４によって計測される機内モードの継続時間が、閾値Ｔｔｈ１よりも長いか否かの判定を行う。
時間計測部５４によって計測される機内モードの継続時間が、閾値Ｔｔｈ１よりも短い場合、ステップＳ１６においてＮＯと判定されて、処理はステップＳ１７に移行する。
これに対し、時間計測部５４によって計測される機内モードの継続時間が、閾値Ｔｔｈ１よりも長い場合、ステップＳ１６においてＹＥＳと判定されて、処理はステップＳ１８に移行する。
ステップＳ１７において、移動判定部５６は、同一のタイムゾーン内における移動であると判定する。
ステップＳ１７の後、時刻補正処理は終了となる。
【００３５】
ステップＳ１８において、受信制御部５１は、ＧＰＳ受信モジュールによるＧＰＳ信号の受信を実行する。
ステップＳ１９において、受信制御部５１は、ＧＰＳ信号が受信されたか否かの判定を行う。
ＧＰＳ信号が受信されない場合、ステップＳ１９においてＮＯと判定されて、処理はステップＳ２０に移行する。
これに対し、ＧＰＳ信号が受信された場合、ステップＳ１９においてＹＥＳと判定されて、処理はステップＳ２２に移行する。
【００３６】
ステップＳ２０において、受信制御部５１は、ＧＰＳ信号の受信について設定されたリトライ条件（制限時間あるいは制限回数内であること等）を充足しているか否かの判定を行う。
ＧＰＳ信号の受信について設定されたリトライ条件を充足している場合、処理はステップＳ１９に戻る。
これに対し、ＧＰＳ信号の受信について設定されたリトライ条件を充足していない場合、処理はステップＳ２１に移行する。
【００３７】
ステップＳ２１において、時刻補正部５２は、電子時計１における現在の時刻を維持する。
ステップＳ２２において、時刻補正部５２は、ＧＰＳ信号が示す時刻情報に基づいて、電子時計１における現在時刻を補正する。このとき、時刻補正部５２は、ＧＰＳ信号に基づいて現在位置を取得し、タイムゾーンに応じた時差の補正を併せて実行する。
例えば、ステップＳ２２において、ＧＰＳ信号によって米国のロサンゼルス付近の位置が示された場合、米国の太平洋標準時に合わせて時差が補正される。
ステップＳ２２の後、時刻補正処理は終了となる。
【００３８】
このように、本実施形態の電子時計１では、ＧＰＳ信号の受信を停止させる機内モードを解除したタイミングで標準電波の受信を行い、そのときの標準電波の受信環境の変化を判定する。そして、電子時計１において、タイムゾーンの変更に伴って時刻補正を行う必要があるか否かを判定することにより、自動的に現在時刻の補正を行うことができる。
これにより、時刻の補正をユーザの操作に委ねることを極力避けることができるため、ユーザに煩わしさを感じさせることを抑制できる。したがって、ユーザの利便性の向上を図ることができる。
即ち、本実施形態に係る電子時計１によれば、ＧＰＳ受信機能を備えた電子時計において、消費電力の増大を抑制しつつ、時刻の補正をより適切に行うことが可能となる。
【００３９】
［第２実施形態］
次に、本発明の第２実施形態について説明する。
本実施形態に係る電子時計１は、第１実施形態の電子時計１に対し、各国におけるサマータイム期間を反映させた現在時刻の補正を行う点で異なっている。
したがって、以下、第１実施形態と異なる点である電子時計１の機能的構成について主として説明する。
【００４０】
図４は、本発明の第２実施形態に係る電子時計１の機能的構成を示す機能ブロック図である。
図４における電子時計１の機能的構成は、サマータイム情報記憶部７１を備えている点で、図２に示す第１実施形態の機能的構成と異なっている。
サマータイム情報記憶部７１は、サマータイムを導入している各国と、その国のサマータイム期間とが対応付けて記憶されたサマータイム期間テーブルを備えている。
図５は、サマータイム期間テーブルの一例を示す模式図である。
図５に示すように、例えば、サマータイム期間テーブルの１行目のエントリには、国「Ａ」について、サマータイムの期間が「開始日Ｘ１〜終了日Ｙ１」であることが記憶されている。そのため、国「Ａ」については、タイムゾーンに応じた時刻補正に加え、サマータイム期間内であれば、時刻を１時間早めることで、自動的に適切な現在時刻の補正を行うことができる。
【００４１】
図４に示す機能的構成を有する電子時計１においては、図３に示す時刻補正処理と、ステップＳ２２の処理が以下のように異なっている。
即ち、ステップＳ２２において、時刻補正部５２は、ＧＰＳ信号が示す時刻情報に基づいて、電子時計１における現在時刻を補正する。このとき、時刻補正部５２は、ＧＰＳ信号に基づいて現在位置を取得し、タイムゾーンに応じた時差の補正を併せて実行する。さらに、時刻補正部５２は、現在位置から電子時計１が位置する国を判定し、サマータイム情報記憶部７１に記憶されたサマータイム期間テーブルに基づいて、サマータイムに対応した現在時刻の補正を行う。
【００４２】
これにより、第２実施形態に係る電子時計１では、サマータイムを実施している国に電子時計１が移動した場合にも、サマータイム期間内であるときには、タイムゾーンに応じた時差の補正に加えて、サマータイムを反映した現在時刻の補正を行う。
したがって、消費電力の増大を抑制しつつ、サマータイムへの補正を含め、時刻の補正をより適切に行うことが可能となる。
【００４３】
以上のように構成される電子時計１は、ＧＰＳ受信モジュール２０と、長波受信モジュール２１と、受信制御部５１と、時刻補正部５２と、機内モード設定部５３と、時間計測部５４と、停止時間判定部５５と、移動判定部５６とを備える。
ＧＰＳ受信モジュール２０は、ＧＰＳ衛星からの電波を受信する。
長波受信モジュール２１は、長波電波を受信する。
受信制御部５１は、長波受信モジュール２１及びＧＰＳ受信モジュール２０による受信の制御を行う。
機内モード設定部５３は、ＧＰＳ受信モジュール２１におけるＧＰＳ衛星からの電波の受信の停止及び受信の停止の解除をさせる。
時間計測部５４は、機内モード設定部５３によってＧＰＳ衛星からの電波の受信の停止及び受信の停止の解除をした時刻に基づく経過時間を計測する。
停止時間判定部５５は、時間計測部５４によって計測された経過時間が、予め設定された第１の閾値よりも長いか否かを判定する。
移動判定部５６は、機内モード設定部５３に対する操作が行われる前に受信した長波電波の受信状況と、機内モード設定部５３における受信の停止が解除された後に受信した長波電波の受信状況とに基づいて、移動を判定する。
受信制御部５１は、停止時間判定部５５及び移動判定部５６の判定結果に基づいて、ＧＰＳ受信モジュール２０における受信の制御を行う。
時刻補正部５２は、長波受信モジュール２１またはＧＰＳ受信モジュール２０による当該受信の結果に基づいて、時刻の補正を行う。
【００４４】
これにより、電子時計１においては、ＧＰＳ衛星からの電波の受信が停止されていた時間、及び、長波電波の受信状況を基に判定された移動の結果に応じて、ＧＰＳ受信モジュール２０を制御し、時刻の補正を行う。
したがって、ＧＰＳ受信モジュール２０におけるＧＰＳ衛星からの電波の受信の頻度をより減少させることができるため、消費電力の増大を抑制することができる。また、時刻の補正の必要性が高い状況において、ＧＰＳ衛星からの電波の受信を行うことができるため、時刻の補正をより適切に行うことができる。
即ち、電子時計１によれば、ＧＰＳ受信機能を備えた電子時計において、消費電力の増大を抑制しつつ、時刻の補正をより適切に行うことが可能となる。
【００４５】
また、受信制御部５１は、機内モード設定部５３における受信の停止が解除された後に、時間計測部５４によって計測された時間が、第１の閾値よりも長い場合には、ＧＰＳ受信モジュール２０によってＧＰＳ衛星からの電波を受信させ、時刻補正部５２によって時刻の補正を行い、機内モード設定部５３における受信の停止が解除された後に、移動判定部５６によって同一のタイムゾーン内の長波電波を受信したと判定され、且つ時間計測部５４によって計測された時間が、第１の閾値以下と判定された場合には、ＧＰＳ受信モジュール２０によってＧＰＳ衛星からの電波を受信させない。
これにより、ＧＰＳ衛星からの電波の受信を行う状況をより適切に判別することができるため、消費電力の増大をより適切に抑制することができる。
【００４６】
また、受信制御部５１は、機内モード設定部５３における受信の停止が解除された後に、時間計測部５４によって計測された経過時間が、第１の閾値と判定され、移動判定部５６によって同一のタイムゾーン内の長波電波を受信できなかったと判定された場合には、ＧＰＳ受信モジュール２０によってＧＰＳ衛星からの電波を受信させ、時刻補正部５２によって時刻の補正を行う。
これにより、ＧＰＳ衛星からの電波を受信する効果が大きい状況を判別して受信を行うことができる。
【００４７】
また、受信制御部５１は、機内モード設定部５３における受信の停止が操作された後に、当該受信の停止が解除された場合、時間計測部５４によって計測された時間が、予め設定された第２の閾値以下であるときには、当該受信の停止が解除されていないものとして時間の計測を継続する。
これにより、離陸時に一時的にＧＰＳ衛星からの電波の受信が停止され、上空で一時的に受信を再開したような場合であっても、受信が停止されている時間の計測を継続できるため、適切な移動時間を計測することができる。
【００４８】
また、電子時計１は、サマータイム情報記憶部７１を備える。
サマータイム情報記憶部７１は、サマータイムを導入している国と、当該国のサマータイム期間とが対応付けられたサマータイムに関する情報を記憶する。
時刻補正部５２は、サマータイムに関する情報に基づいて、ＧＰＳ受信モジュール２０によって受信されたＧＰＳ衛星からの電波が示す位置に応じて、サマータイムに対応する時刻の補正を行う。
これにより、サマータイムが導入されている国に移動した場合であっても、より適切に時刻の補正を行うことが可能となる。
【００４９】
なお、本発明は、上述の実施形態に限定されるものではなく、本発明の目的を達成できる範囲での変形、改良等は本発明に含まれるものである。
【００５０】
上述の実施形態では、時刻補正処理のステップＳ１５において、同一の送信局からの標準電波を受信したか否かを判定したが、これに限られない。即ち、受信された標準電波の種類が、タイムゾーンが同一の地域に設置されている送信局からのもの（例えば福島送信局及び九州送信局からの標準電波等）であれば、実質的な地域の移動がないことから、標準電波の種類が同一であると判定してもよい。
【００５１】
また、上述の実施形態では、本発明が適用される電子時計１は、腕時計を例として説明したが、特にこれに限定されない。
例えば、本発明は、時刻補正機能を有する電子機器一般に適用することができる。具体的には、例えば、本発明は、ノート型のパーソナルコンピュータ、デジタルカメラ、ビデオカメラ、携帯型ナビゲーション装置、携帯電話機、スマートフォン、ポータブルゲーム機等に適用可能である。
【００５２】
上述した一連の処理は、ハードウェアにより実行させることもできるし、ソフトウェアにより実行させることもできる。
換言すると、図２及び図４の機能的構成は例示に過ぎず、特に限定されない。即ち、上述した一連の処理を全体として実行できる機能が電子時計１に備えられていれば足り、この機能を実現するためにどのような機能ブロックを用いるのかは特に図２及び図４の例に限定されない。
また、１つの機能ブロックは、ハードウェア単体で構成してもよいし、ソフトウェア単体で構成してもよいし、それらの組み合わせで構成してもよい。
【００５３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５４】
このようなプログラムを含む記録媒体は、ユーザにプログラムを提供するために装置本体とは別に配布されるリムーバブルメディア等により構成されるだけでなく、装置本体に予め組み込まれた状態でユーザに提供される記録媒体等で構成される。リムーバブルメディアは、例えば、磁気ディスク（フロッピディスクを含む）、光ディスク、または光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ），Ｂｌｕ−ｒａｙ（登録商標）  Ｄｉｓｃ（ブルーレイディスク）
等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるフラッシュメモリ等で構成される。
【００５５】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【００５６】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【００５７】
以下に、本願の出願当初の特許請求の範囲に記載された発明を付記する。
［付記１］
長波電波を受信する長波受信手段と、
ＧＰＳ衛星からの電波を受信するＧＰＳ受信手段と、
ＧＰＳ受信手段におけるＧＰＳ衛星からの電波の受信の停止及び受信の停止の解除をさせる受信停止解除手段と、
前記受信停止解除手段によってＧＰＳ衛星からの電波の受信の停止及び受信の停止の解除をした時刻に基づく経過時間を計測する計測手段と、
前記計測手段によって計測された経過時間が、予め設定された第１の閾値よりも長いか否かを判定する停止時間判定手段と、
前記受信停止解除手段に対する操作が行われる前に受信した長波電波の受信状況と、前記受信停止解除手段における受信の停止が解除された後に受信した長波電波の受信状況とに基づいて、移動を判定する移動判定手段と、
前記停止時間判定手段及び前記移動判定手段の判定結果に基づいて、前記ＧＰＳ受信手段における受信の制御を行う受信制御手段と、
前記長波受信手段または前記ＧＰＳ受信手段による当該受信の結果に基づいて、時刻の補正を行う時刻補正手段と、
を備えることを特徴とする電子時計。
［付記２］
前記受信制御手段は、
前記受信停止解除手段における受信の停止が解除された後に、前記計測手段によって計測された時間が、前記第１の閾値よりも長い場合には、前記ＧＰＳ受信手段によってＧＰＳ衛星からの電波を受信させ、前記時刻補正手段によって時刻の補正を行い、前記受信停止解除手段における受信の停止が解除された後に、前記移動判定手段によって同一のタイムゾーン内の長波電波を受信したと判定され、且つ前記計測手段によって計測された時間が、前記第１の閾値以下と判定された場合には、前記ＧＰＳ受信手段によってＧＰＳ衛星からの電波を受信させないことを特徴とする付記１に記載の電子時計。
［付記３］
前記受信制御手段は、前記受信停止解除手段における受信の停止が解除された後に、前記計測手段によって計測された経過時間が、前記第１の閾値以下と判定され、前記移動判定手段によって同一のタイムゾーン内の長波電波を受信できなかったと判定された場合には、前記ＧＰＳ受信手段によってＧＰＳ衛星からの電波を受信させ、前記時刻補正手段によって時刻の補正を行うことを特徴とする付記２に記載の電子時計。
［付記４］
前記受信制御手段は、前記受信停止解除手段における受信の停止が操作された後に、当該受信の停止が解除された場合、前記計測手段によって計測された時間が、予め設定された第２の閾値以下であるときには、当該受信の停止が解除されていないものとして時間の計測を継続することを特徴とする付記１から３のいずれか１つに記載の電子時計。
［付記５］
サマータイムを導入している国と、当該国のサマータイム期間とが対応付けられたサマータイムに関する情報を記憶するサマータイム情報記憶手段を備え、
前記時刻補正手段は、前記サマータイムに関する情報に基づいて、前記ＧＰＳ受信手段によって受信されたＧＰＳ衛星からの電波が示す位置に応じて、サマータイムに対応する時刻の補正を行うことを特徴とする付記１から４のいずれか１つに記載の電子時計。
［付記６］
長波電波を受信する長波受信手段と、ＧＰＳ衛星からの電波を受信するＧＰＳ受信手段とを備える電子時計の時刻補正方法であって、
ＧＰＳ受信手段におけるＧＰＳ衛星からの電波の受信の停止及び受信の停止の解除をさせる受信停止解除ステップと、
前記受信停止解除ステップにおいてＧＰＳ衛星からの電波の受信の停止及び受信の停止の解除をした時刻に基づく経過時間を計測する計測ステップと、
前記計測ステップにおいて計測された経過時間が、予め設定された第１の閾値よりも長いか否かを判定する停止時間判定ステップと、
前記受信停止解除ステップにおいて操作が行われる前に受信した長波電波と、前記受信停止解除ステップにおいて受信の停止が解除された後に受信した長波電波とに基づいて、移動を判定する移動判定ステップと、
前記停止時間判定ステップ及び前記移動判定ステップの判定結果に基づいて、前記ＧＰＳ受信手段における受信の制御を行う受信制御ステップと、
前記長波受信手段または前記ＧＰＳ受信手段による当該受信の結果に基づいて、時刻の補正を行う時刻補正ステップと、
を含むことを特徴とする時刻補正方法。
［付記７］
長波電波を受信する長波受信手段と、ＧＰＳ衛星からの電波を受信するＧＰＳ受信手段とを備える電子時計に用いられるコンピュータに、
操作に応じて、ＧＰＳ受信手段におけるＧＰＳ衛星からの電波の受信の停止及び受信の停止の解除をさせる受信停止解除ステップと、
前記受信停止解除ステップにおいてＧＰＳ衛星からの電波の受信の停止及び受信の停止の解除をした時刻に基づく経過時間を計測する計測ステップと、
前記計測ステップにおいて計測された経過時間が、予め設定された第１の閾値よりも長いか否かを判定する停止時間判定ステップと、
前記受信停止解除ステップにおいて操作が行われる前に受信した長波電波と、前記受信停止解除ステップにおいて受信の停止が解除された後に受信した長波電波とに基づいて、移動を判定する移動判定ステップと、
前記停止時間判定ステップ及び前記移動判定ステップの判定結果に基づいて、前記ＧＰＳ受信手段における受信の制御を行う受信制御ステップと、
前記長波受信手段または前記ＧＰＳ受信手段による当該受信の結果に基づいて、時刻の補正を行う時刻補正ステップと、
を実行させることを特徴とするプログラム。
【符号の説明】
【００５８】
１・・・電子時計，１１・・・ＣＰＵ，１２・・・ＲＯＭ，１３・・・ＲＡＭ，１４・・・バス，１５・・・入出力インターフェース，１６・・・計時部，１７・・・入力部，１８・・・表示部，１９・・・記憶部，２０・・・ＧＰＳモジュール，２１・・・長波受信モジュール，２２・・・電源回路，５１・・・受信制御部，５２・・・時刻補正部，５
３・・・機内モード設定部，５４・・・時間計測部，５５・・・停止時間判定部，５６・・・移動判定部，７１・・・サマータイム情報記憶部
【図１】
2018087817.tif 000003
【図２】
2018087817.tif 000004
【図３】
2018087817.tif 000005
【図４】
2018087817.tif 000006
【図５】
2018087817.tif 000007
【手続補正書】
【提出日】平成30年2月2日(2018.2.2)
【手続補正２】
【補正対象書類名】明細書
【補正対象項目名】０００１
【補正方法】変更
【補正の内容】
【０００１】
本発明は、電子時計、電波受信方法及びプログラムに関する。
【手続補正３】
【補正対象書類名】明細書
【補正対象項目名】０００２
【補正方法】変更
【補正の内容】
【０００２】
従来、ＧＰＳ（Ｇｌｏｂａｌ  Ｐｏｓｉｔｉｏｎｉｎｇ  Ｓｙｓｔｅｍ）衛星から送信されるＧＰＳ信号を受信し、この信号に示されている時刻情報を用いて、時刻の補
正を行う電子時計が利用されつつある。
ＧＰＳ信号によって時刻の補正を行う場合、標準電波が利用できない地域でも時刻の補正が可能となり、また、標準電波よりも短時間で時刻の補正が可能になる等の利点がある。
例えば、特許文献１には、ＧＰＳによる時刻の補正が可能な計時装置に関する技術が開示されている。
【手続補正４】
【補正対象書類名】明細書
【補正対象項目名】０００４
【補正方法】変更
【補正の内容】
【０００４】
しかしながら、ＧＰＳによる時刻の補正を行う場合、ＧＰＳ信号の受信のために消費電力が増大する。
【手続補正５】
【補正対象書類名】明細書
【補正対象項目名】０００５
【補正方法】変更
【補正の内容】
【０００５】
本発明は、電波の受信機能を備えた電子時計において、消費電力の増大を抑制することを目的とする。
【手続補正６】
【補正対象書類名】明細書
【補正対象項目名】０００６
【補正方法】変更
【補正の内容】
【０００６】
上記目的を達成するため、本発明の一態様の電子時計は、
第１の波長の電波を受信する第１受信手段と、
前記第１受信手段の受信動作の停止及び受信動作の停止の解除を制御する制御手段と、
を備え、
前記制御手段は、前記第１受信手段の受信動作の停止の解除後、所定時間が経過したか否かを判別し、前記所定時間が経過した場合には、前記第１受信手段に前記第１の波長の電波を受信させることを特徴とする。
【手続補正７】
【補正対象書類名】明細書
【補正対象項目名】０００７
【補正方法】変更
【補正の内容】
【０００７】
本発明によれば、ＧＰＳ受信機能を備えた電子時計において、消費電力の増大を抑制することができる。
【手続補正８】
【補正対象書類名】特許請求の範囲
【補正対象項目名】全文
【補正方法】変更
【補正の内容】
【特許請求の範囲】
【請求項１】
第１の波長の電波を受信する第１受信手段と、
前記第１受信手段の受信動作の停止及び受信動作の停止の解除を制御する制御手段と、
を備え、
前記制御手段は、前記第１受信手段の受信動作の停止の解除後、所定時間が経過したか否かを判別し、前記所定時間が経過した場合には、前記第１受信手段に前記第１の波長の電波を受信させることを特徴とする電子時計。
【請求項２】
前記第１の波長とは異なる第２の波長の電波を受信する第２受信手段を備え、
前記制御手段は、前記第１受信手段または前記第２波受信手段の受信結果に基づいて、時刻の補正を行うことを特徴とする請求項１に記載の電子時計。
【請求項３】
前記制御手段は、前記所定時間が経過していない場合、前記第２受信手段の前記第２の波長の電波の受信結果に応じて前記第１受信手段に前記第１の波長の電波を受信させることを特徴とする請求項２に記載の電子時計。
【請求項４】
電波受信方法であって、
第１の波長の電波を受信する第１受信ステップと、
前記第１受信ステップにより開始された受信動作の停止及び受信動作の停止の解除を制御する受信動作停止制御ステップと、
前記受信動作の停止の解除後、所定時間が経過したか否かを判別する判別ステップと、
前記所定時間が経過した場合には、前記第１の波長の電波の受信を再開させる受信再開ステップと、
を含むことを特徴とする電波受信方法。
【請求項５】
第１の波長の電波を受信する第１受信手段を備える電子時計に用いられるコンピュータを、
前記第１受信手段の受信動作の停止及び受信動作の停止の解除を制御する受信動作停止制御手段、
前記第１受信手段の受信動作の停止の解除後、所定時間が経過したか否かを判別する判別手段、
前記所定時間が経過した場合には、前記第１受信手段に前記第１の波長の電波の受信を再開させる受信再開手段、
として機能させることを特徴とするプログラム。